(57)【要約】【課題】軽量小物類を食器洗浄機により洗浄するために使用する食器洗浄機用小物容器を提供する。【解決手段】それぞれ内部空間の全体を外側から包囲する細フレームにより籠体を構成すると共に、該籠体を分割することにより開閉手段を備えた大型バスケット(2)と小型バスケット(3)の組み合わせから成り、大型バスケット(2)は、小型の軽量小物類を収納可能に構成され、小型バスケット(3)は、超小型の軽量小物類を収納可能に構成されており、前記大型バスケット(2)は、食器洗浄機の洗浄棚に立てた状態で設置可能とされる偏平な大型籠体(2X)を構成している。小型の軽量小物類は大型バスケット(2)に収納した状態で洗浄される。超小型の軽量小物類は小型バスケット(3)に収納し、更に該小型バスケット(3)を大型バスケット(2)に収納した状態で洗浄される。【選択図】図１
0003179779.tif 000002
【実用新案登録請求の範囲】
【請求項１】
それぞれ内部空間の全体を外側から包囲する細フレームにより籠体を構成すると共に、該籠体を分割することにより開閉手段を備えた大型バスケット(2)と小型バスケット(3)の組み合わせから成り、大型バスケット(2)は、小型の軽量小物類を収納可能に構成され、小型バスケット(3)は、超小型の軽量小物類を収納可能に構成されており、
前記大型バスケット(2)は、食器洗浄機の洗浄棚に立てた状態で設置可能とされる偏平な大型籠体(2X)を構成し、該大型籠体を構成する細フレーム(4)の間に透水開口(5)を形成し、
前記小型バスケット(3)は、前記大型バスケット(2)の内部空間に収納可能とされる小型籠体(3X)を構成し、該小型籠体を構成する細フレーム(10)の間に透水開口(11)を形成し、
前記透水開口の大きさに関して、大型バスケット(2)の透水開口(5)よりも小型バスケット(3)の透水開口(11)を小さく形成して成ることを特徴とする食器洗浄機用軽量小物類の容器。
【請求項２】
前記大型バスケット(2)は、一対の皿形状とされた分割籠体(2a,2b)を着脱自在に合掌することにより、外周を円形とした円盤状の大型籠体(2X)を構成し、該大型バスケット(2)に小型バスケット(3)を収納した状態で、前記一対の分割籠体(2a,2b)により小型バスケット(3)を挟み保持するように構成されて成ることを特徴とする請求項１に記載の食器洗浄機用軽量小物類の容器。
【請求項３】
前記小型バスケット(3)は、一対の小判形の椀状とされた分割籠体(3a,3b)を着脱自在に合掌することにより小型籠体(3X)を構成して成ることを特徴とする請求項１又は２に記載の食器洗浄機用軽量小物類の容器。
【請求項４】
前記大型バスケット(2)及び小型バスケット(3)は、可撓性プラスチックにより形成され、それぞれ、半割状に形成された一対の分割籠体(2a,2b)(3a,3b)に環状フレーム(6a,6b)(12a,12b)を設け、両環状フレームを相互に合掌するように構成され、一方の環状フレーム(6a)(12a)から他方の環状フレーム(6b)(12b)に向けて複数の舌片(7)(13)を突設し、両環状フレームを合掌したとき前記舌片(7)(13)により他方の環状フレーム(6b)(12b)を着脱自在に抱持するように構成して成ることを特徴とする請求項２又は３に記載の食器洗浄機用軽量小物類の容器。
【考案の詳細な説明】
【技術分野】
【０００１】
本考案は、軽量小物類を食器洗浄機により洗浄する際に便利に使用することができる食器洗浄機用小物容器に関する。
【背景技術】
【０００２】
近年、食器洗浄機の普及により、一般家庭においても、食器類を食器洗浄機により洗浄することが行われている。ところが、食器洗浄機は、高圧水の噴射により汚れを洗浄するため、スプーンやフォーク等の小物が噴き飛ばされるという問題がある。このため、スプーンやフォーク等の小物を固定できるようにした装置が提供されている。
【先行技術文献】
【特許文献】
【０００３】
【特許文献１】特開平５−１１５４２０号公報
【考案の概要】
【考案が解決しようとする課題】
【０００４】
しかしながら、一般家庭では、スプーンやフォーク等に限らず、種々の軽量小物類を食器洗浄機により洗浄するニーズがあり、このような軽量小物類は、上述のような固定装置に固定することができないため、食器洗浄機の内部で噴き飛ばされ、近隣の陶磁器製の食器に衝突するという問題がある。
【０００５】
例えば、磁器製の小皿等よりも軽量で小さいシリコン等の樹脂製カップや、ふりかけケースのような軽量小物類（以下「小型の軽量小物類」という。）は、前記のような問題があるため、食器洗浄機による洗浄が困難である。
【０００６】
また、前記小型の軽量小物類よりも更に軽量で小さい弁当箱の仕切り・中子・パッキン等や、クッキー用抜き型や、哺乳瓶の乳首のような軽量小物類（以下「超小型の軽量小物類」という。）は、前記のような問題がある他、食器洗浄機の内部に飛散し、洗浄後の収拾が困難である。
【課題を解決するための手段】
【０００７】
本考案は、上記課題を解決した食器洗浄機用軽量小物類の容器を提供するものであり、その手段として構成したところは、それぞれ内部空間の全体を外側から包囲する細フレームにより籠体を構成すると共に、該籠体を分割することにより開閉手段を備えた大型バスケットと小型バスケットの組み合わせから成り、大型バスケットは、小型の軽量小物類を収納可能に構成され、小型バスケットは、超小型の軽量小物類を収納可能に構成されており、前記大型バスケットは、食器洗浄機の洗浄棚に立てた状態で設置可能とされる偏平な大型籠体を構成し、該大型籠体を構成する細フレームの間に透水開口を形成し、前記小型バスケットは、前記大型バスケットの内部空間に収納可能とされる小型籠体を構成し、該小型籠体を構成する細フレームの間に透水開口を形成し、前記透水開口の大きさに関して、大型バスケットの透水開口よりも小型バスケットの透水開口を小さく形成して成る点にある。
【０００８】
好ましい実施形態において、前記大型バスケットは、一対の皿形状とされた分割籠体を着脱自在に合掌することにより、外周を円形とした円盤状の大型籠体を構成し、該大型バスケットに小型バスケットを収納した状態で、前記一対の分割籠体により小型バスケットを挟み保持するように構成されている。
【０００９】
同様に、前記小型バスケットは、一対の小判形の椀状とされた分割籠体を着脱自在に合掌することにより小型籠体を構成している。
【００１０】
前記大型バスケット及び小型バスケットは、可撓性プラスチックにより形成され、それぞれ、半割状に形成された一対の分割籠体に環状フレームを設け、両環状フレームを相互に合掌するように構成され、一方の環状フレームから他方の環状フレームに向けて複数の舌片を突設し、両環状フレームを合掌したとき前記舌片により他方の環状フレームを着脱自在に抱持するように構成している。
【考案の効果】
【００１１】
請求項１に記載の本考案によれば、大型バスケット２と小型バスケット３の使い分けにより、「小型の軽量小物類」と「超小型の軽量小物類」を好適に食器洗浄機により洗浄することができる。
【００１２】
「小型の軽量小物類」は、大型バスケット２に収納させた状態で洗浄することにより、食器洗浄機の内部で噴き飛ばされることを防止できる。しかも、大型バスケット２は、偏平な円盤状であるから、食器洗浄機の洗浄棚に対し、食器皿等と並べて、立て掛けた状態で設置することができ、食器洗浄機の内部の省スペースに寄与する。
【００１３】
「超小型の軽量小物類」は、小型バスケット３に収納させ、更に小型バスケット３を大型バスケット２に収納させた状態で洗浄することにより、小型バスケット自体が食器洗浄機の内部で噴き飛ばされることを防止できる。この場合も、偏平な円盤状の大型バスケット２を食器皿等と並べて、立て掛けた状態で設置することができるので、省スペースに寄与する。
【００１４】
請求項２に記載の本考案によれば、小型バスケット３は、大型バスケット２に収納した状態で、該大型バスケット２の一対の皿形状とされた分割籠体２ａ、２ｂの間に挟まれ保持される。このため、高圧水の噴射による洗浄中、小型バスケット３は、分割籠体３ａ、３ｂが離反する方向への揺動が阻止されており、従って、洗浄中に分割籠体３ａ、３ｂが開放されてしまい、収納された超小型の軽量小物類を大型バスケット２の透水開口５から外部に飛散するようなことはない。
【００１５】
洗浄中、小型バスケット３は、円盤状とされた大型バスケット２の円周に沿って自由に移動し、多面的方向から噴水を受けるので、洗浄困難な超小型の物品を好適に洗浄することができる。
【００１６】
そして、請求項２及び３のように、大型バスケット２及び小型バスケット３は、それぞれ、半割状の分割籠体２ａ、２ｂ及び３ａ、３ａを着脱自在に合掌することにより大型籠体２Ｘ及び小型籠体３Ｘを形成するように構成しておけば、「小型の軽量小物類」及び「超小型の軽量小物類」の出し入れが容易であり、更に、請求項４のように、合掌した環状フレーム６ａ、６ｂ及び１２ａ、１２ｂを舌片７及び１３により抱持するように構成しておけば、ワンタッチ動作によるスナップ係止が可能になる。
【図面の簡単な説明】
【００１７】
【図１】本考案の１実施形態に係る軽量小物類の容器に関して、小型バスケットを大型バスケットに収納した状態を示す平面図である。
【図２】小型バスケットを大型バスケットに収納した状態を示し、（Ａ）は正面図、（Ｂ）は図１のＡ−Ａ線に沿う縦断面図である。
【図３】大型バスケットを示し、（Ａ）は大型バスケットの分割籠体を開放した状態を示す断面図、（Ｂ）は分割籠体の環状フレームを合掌させ係止した状態を示す断面図である。
【図４】小型バスケットを示し、（Ａ）は小型バスケットの分割籠体を開放した状態を示す断面図、（Ｂ）は分割籠体の環状フレームを合掌させ係止した状態を示す断面図である。
【図５】小型バスケットを大型バスケットに収納した状態の横断面図である。
【考案を実施するための形態】
【００１８】
以下図面に基づいて本考案の好ましい実施形態を詳述する。
【００１９】
図１及び図２に示すように、食器洗浄機に使用する軽量小物類の容器１は、それぞれ可撓性プラスチックにより形成された大型バスケット２と小型バスケット３の組み合わせにより構成されており、大型バスケット２は、上述のような「小型の軽量小物類」を収納可能とするように構成され、小型バスケット３は、上述のような「超小型の軽量小物類」を収納可能とするように構成されている。
【００２０】
＜大型バスケットの構成＞
大型バスケット２は、内部空間の全体を外側から包囲する細フレーム４により籠状に形成され、食器洗浄機の洗浄棚（図示省略）に立てた状態で設置可能とされる偏平かつ外周を円形とした円盤状の大型籠体２Ｘを構成し、細フレーム４の間に大きめの透水開口５を形成している。この際、図示のように、大型バスケット２の全体を占める面積に関して、細フレーム４が占める面積よりも透水開口５が占める面積を大きく形成することが好ましい。
【００２１】
図３（Ａ）に示すように、大型バスケット２は、半割状に形成された一対の皿形状とされた第１分割籠体２ａと第２分割籠体２ｂを着脱自在に合掌させたものとされ、両分割籠体２ａ、２ｂを離反可能とすることにより開閉手段を構成している。しかしながら、開閉手段は、半割状の分割籠体２ａ、２ｂにより構成する他、大型バスケット２を部分的に分割することにより開閉自在に構成しても良い。
【００２２】
一対の分割籠体２ａ、２ｂは、それぞれ円形に延びる環状フレーム６ａ、６ｂを設け、両環状フレーム６ａ、６ｂを相互に合掌することにより大型籠体２Ｘが形成される。第１分割籠体２ａの環状フレーム６ａは、周方向に等間隔の複数個所、図例の場合は３個所に、第２分割籠体２ｂの環状フレーム６ｂに向けて延びる舌片７を突設している。この際、図示のように、舌片７の先端部に外広がり状に傾斜するガイド部７ａ形成することが好ましい。尚、舌片７は、３個以上設けても良い。
【００２３】
一対の分割籠体２ａ、２ｂの環状フレーム６ａ、６ｂを対向させた状態から合掌方向に前進させると、第２分割籠体２ｂの環状フレーム６ｂが第１分割籠体２ａの舌片７のガイド部７ａに沿って前進し、両環状フレーム６ａ、６ｂを同心状に位置決めすると共に対面させる。そこで、前記環状フレーム６ｂが舌片７の内側に嵌合するように強く押し進めると、前記環状フレーム６ｂが舌片７により抱持され、これにより一対の分割籠体２ａ、２ｂを固定する。
【００２４】
図示実施形態の場合、第２分割籠体２ｂの環状フレーム６ｂの外周面にリブ８が周設され、舌片７の内側には前記リブ８を係止する溝を形成するための突起９が形成されている。このようにリブ８が突起９を乗り越えて係止する構成としておけば、上述のように環状フレーム６ａ、６ｂを対向した状態から合掌させるワンタッチの動作でスナップ係止が行われる。
【００２５】
一対の分割籠体２ａ、２ｂを開放するときは、少なくとも１個の舌片７を撓ませ、突起９をリブ８から後退させれば、一対の環状フレーム６ａ、６ｂを簡単容易に離反することができる。
【００２６】
＜小型バスケットの構成＞
小型バスケット３は、内部空間の全体を外側から包囲する細フレーム１０により籠状に形成され、前記大型バスケット２の内部空間に収納可能とされる小型籠体３Ｘを構成し、細フレーム１０の間に透水開口１１を形成している。
【００２７】
この際、前記大型バスケット２が「小型の軽量小物類」を収納するのに対して、小型バスケット３は「超小型の軽量小物類」を収納するため、小型バスケット３の透水開口１１は、大型バスケット２の透水開口５よりも小さく形成されている。つまり、大型バスケット２の透水開口５は、小型の軽量小物類が脱出しない範囲で、透水率を最大限とする大きさに形成されるのに対して、小型バスケット３の透水開口１１は、超小型の軽量小物類が脱出しないように小さくかつ密に形成されている。
【００２８】
図４（Ａ）に示すように、小型バスケット３は、半割状に形成された一対の小判形の椀状とされた第１分割籠体３ａと第２分割籠体３ｂを着脱自在に合掌させたものとされ、両分割籠体３ａ、３ｂを離反可能とすることにより開閉手段を構成している。しかしながら、開閉手段は、半割状の分割籠体３ａ、３ｂにより構成する他、小型バスケット３を部分的に分割することにより開閉自在に構成しても良い。
【００２９】
一対の分割籠体３ａ、３ｂは、それぞれ小判形椀状の開口縁に沿って延びる環状フレーム１２ａ、１２ｂを設け、両環状フレーム１２ａ、１２ｂを相互に合掌することにより小型籠体３Ｘが形成される。第１分割籠体３ａの環状フレーム１２ａは、周方向に等間隔の複数個所、図例の場合は対向する２個所に、第２分割籠体３ｂの環状フレーム１２ｂに向けて延びる舌片１３を突設している。この際、図示のように、舌片１３の先端部に外広がり状に傾斜するガイド部１３ａ形成することが好ましい。尚、舌片１３は、２個以上設けても良い。
【００３０】
一対の分割籠体３ａ、３ｂの環状フレーム１２ａ、１２ｂを対向させた状態から合掌方向に前進させると、第２分割籠体３ｂの環状フレーム１２ｂが第１分割籠体３ａの舌片１３のガイド部１３ａに沿って前進し、両環状フレーム１２ａ、１２ｂを対面状に位置決めする。そこで、前記環状フレーム１２ｂが舌片１３の内側に嵌合するように強く押し進めると、前記環状フレーム１２ｂが舌片１３により抱持され、これにより一対の分割籠体３ａ、３ｂを固定する。
【００３１】
図示実施形態の場合、第２分割籠体３ｂの環状フレーム１２ｂの外周面にリブ１４が周設され、舌片１３の内側には前記リブ１４を係止する溝を形成するための突起１５が形成されている。このようにリブ１４が突起１５を乗り越えて係止する構成としておけば、上述のように環状フレーム１２ａ、１２ｂを対向した状態から合掌させるワンタッチの動作でスナップ係止が行われる。
【００３２】
一対の分割籠体３ａ、３ｂを開放するときは、少なくとも１個の舌片１３を撓ませ、突起１５をリブ１４から後退させれば、一対の環状フレーム１２ａ、１２ｂを簡単容易に離反することができる。
【００３３】
＜第１使用形態＞
食器洗浄機により「小型の軽量小物類」を洗浄する際は、該小型の軽量小物類を大型バスケット２に収納させ、該大型バスケット２を食器洗浄機の内部に設置すれば良い。この際、大型バスケット２は、偏平な円盤状に形成されているので、食器洗浄機の洗浄棚に対して、食器皿と並べて立てた状態で設置することができ、省スペースに寄与する。
【００３４】
小型の軽量小物類は、高圧水の噴射により洗浄される際、大型バスケット２に収納されているので、食器洗浄機の内部で噴き飛ばされることがない。
【００３５】
＜第２使用形態＞
食器洗浄機により「超小型の軽量小物類」を洗浄する際は、該超小型の軽量小物類を小型バスケット３に収納させ、更に小型バスケット３を大型バスケット２に収納させた状態で、食器洗浄機の内部に設置すれば良い。上述のように、大型バスケット２は、偏平な円盤状に形成されているので、食器洗浄機の洗浄棚に対して、食器皿と並べて立てた状態で設置することができ、省スペースに寄与する。
【００３６】
小型バスケット３は、全体として小さく、しかも、超小型の軽量小物類を収納した状態でも軽いため、そのまま食器洗浄機に設置したときは、高圧水の噴射により噴き飛ばされるが、大型バスケット２に収納した状態で食器洗浄機に設置することにより、噴き飛ばされることがない。
【００３７】
図２（Ｂ）に示すように、小型バスケット３は、大型バスケット２に収納した状態で、該大型バスケット２の一対の皿状の分割籠体２ａ、２ｂの間に挟まれ保持される。そこで、高圧水の噴射による洗浄中、小型バスケット３は、分割籠体３ａ、３ｂが離反する方向への揺動が阻止されており、従って、洗浄中に分割籠体３ａ、３ｂが開放されてしまい、収納された超小型の軽量小物類を大型バスケット２の透水開口５から外部に飛散するようなことはない。
【００３８】
大型バスケット２に小型バスケット３だけを収納している場合、高圧水の噴射により、小型バスケット３は、図５に示すように、大型バスケット２の円形方向に向けて自由に移動する。これにより、多面的方向から噴水を受けるので、洗浄困難な超小型の物品を好適に洗浄することができる。
【００３９】
尚、小型バスケット３を収納した大型バスケット２は、前述のような小型バスケット３の遊動空間を残しているので、ユーザが望む場合は、該遊動空間に小型の軽量小物類を同時に収納させ、その状態で食器洗浄機に設置しても良い。
【符号の説明】
【００４０】
１  軽量小物類の容器
２  大型バスケット
２Ｘ  大型籠体
２ａ  第１分割籠体
２ｂ  第２分割籠体
３  小型バスケット
３Ｘ  大型籠体
３ａ  第１分割籠体
３ｂ  第２分割籠体
４  細フレーム
５  透水開口
６ａ、６ｂ  環状フレーム
７  舌片
７ａ  ガイド部
８  リブ
９  突起
１０  細フレーム
１１  透水開口
１２ａ、１２ｂ  環状フレーム
１３  舌片
１３ａ  ガイド部
１４  リブ
１５  突起
【図１】
0003179779.tif 000003
【図２】
0003179779.tif 000004
【図３】
0003179779.tif 000005
【図４】
0003179779.tif 000006
【図５】
0003179779.tif 000007